(57)【要約】      （修正有） 【課題】複数枚のブラジャーを入れることが可能で、洗濯機による洗濯でもブラジャーの損傷を防ぐことができる、安価な洗濯ネットを提供する。【解決手段】洗濯ネット１は、ネットでできた袋２の中に、複数のブラジャーを並べて入れるための通水性のある仕切り４が設けられている。仕切り４は、弾力がある合成樹脂で形成されるとともに、ブラジャーのカップ部に対応する曲面部を有する。袋２がボックス状で、その上面部分２ａがファスナーで開閉可能であるなら、さらに好ましい。【選択図】図１
0003154982.tif 000002
【実用新案登録請求の範囲】
【請求項１】
ネットでできた袋の中に、複数のブラジャーを並べて入れるための通水性のある仕切りが設けられていることを特徴とする洗濯ネット。
【請求項２】
上記仕切りが、弾力がある合成樹脂で形成されるとともに、ブラジャーのカップ部に対応する曲面部を有することを特徴とする請求項１に記載の洗濯ネット。
【請求項３】
上記の袋がボックス状で、上面部分をファスナーで開閉可能であり、底面部分に縫い付けるかたちで、複数の上記仕切りが設けられていることを特徴とする請求項１または２に記載の洗濯ネット。
【請求項４】
上記袋に、浮力部材が備えられていることを特徴とする請求項１〜３のいずれかに記載の洗濯ネット。
【考案の詳細な説明】
【技術分野】
【０００１】
本考案は、洗濯機による洗濯のときに、洗濯物を入れる洗濯ネットに関し、とくに、ワイヤー入りのブラジャーの損傷を防止するための洗濯ネットに関する。
【背景技術】
【０００２】
近年、ブラジャーは、カップの下縁部に沿ってワイヤーが入っているタイプのものがよく利用されている。また、カップは、生地に繊細なレースや刺繍があしらわれていたり、着用しないときでもカップの形が維持されるようなものが多い。さらに、ビーズのチェーンや金属のチェーン等が装飾的に取り付けられた豪華なブラジャーも少なくない。このようなブラジャーを洗濯する場合、ワイヤーや生地、装飾部品等を傷めないよう手洗いすることが推奨されている。手洗いでは、汚れやすい部分はブラシなどでこすって洗う必要もあり、一度に何枚も洗うのは手間がかかる作業であった。
【０００３】
一方、ブラジャーをネット状の袋（洗濯ネット）に入れて、ほかの洗濯物といっしょに洗濯機で洗うこともあった。この場合、洗濯物同士が絡み合うために洗濯ネットとともにブラジャーがねじれ、ワイヤーが変形してしまうことがあった。ワイヤーは、一度変形すると元の形に戻すことは困難で、着用感が著しく低下するという不都合があった。また、ほかの洗濯物と絡み合ったり脱水の際に圧迫されたりすることによりカップの形が崩れてしまい、ブラジャーの価値が損なわれることもあった。
【０００４】
このような不具合を解消するための洗濯ネットがいくつか知られている（たとえば特許文献１）。特許文献１の洗濯ネットは、袋状のネットの下面にザル状の半球体を設け、上面にダーツによって形成した膨らみを設けている。半球体にブラジャーのカップをセットして、上面の膨らみをかぶせ、周囲のファスナーを閉じると、ブラジャーを半球体と膨らみとではさむことができる。ブラジャーのカップが固定されるので、洗濯ネット内でブラジャーが移動することなく洗濯できるが、一度に何枚も洗うことはできない。
【先行技術文献】
【特許文献】
【０００５】
【特許文献１】特開２００１−１３７５９３号公報
【考案の概要】
【考案が解決しようとする課題】
【０００６】
特許文献１の洗濯ネットは、１枚のブラジャーしかセットすることができないので、一度に洗うブラジャーが多いときには同じ数だけの洗濯ネットを用意して、１枚ずつセットしてはファスナーを閉じる、という作業をしなければならず、経済的でないうえに手間がかかるという不都合があった。また、ブラジャーのホックが後ろにあるか前にあるかによって、後ホックブラジャー用と前ホックブラジャー用のネットを使い分ける必要があることも、不便である。
【０００７】
上記の課題を考慮し、本考案は、複数枚のブラジャーを入れることが可能で、洗濯機による洗濯でもブラジャーの損傷を防ぐことができる、安価な洗濯ネットを提供することを目的とする。
【課題を解決するための手段】
【０００８】
上記課題を解決するため、考案にかかる洗濯ネットは、ネットでできた袋の中に、複数のブラジャーを並べて入れるための通水性のある仕切りが設けられていることを特徴とする。
【０００９】
このような洗濯ネットであれば、袋内の仕切りで分けられた複数の空間にワイヤー入りのブラジャーを１枚ずつ入れることにより、ワイヤー部分も含めてブラジャーが整然と重なるので、１枚だけを洗濯ネットに入れた場合に比べてブラジャーがねじれにくくなる。したがって、この洗濯ネットに複数のワイヤー入りブラジャーを入れたならば、一度に複数のブラジャーを洗濯機で洗濯できるうえ、ワイヤーが曲がることがないので、手間がかからず好都合である。洗濯ネットを何枚も購入しなくてすむという利点もある。さらに、仕切りに通水性があるので、洗剤の溶けた洗濯液やすすぎの水が仕切りを透過しやすく、また、仕切りが適度にブラジャーとこすれ合うことで手洗いの時にブラシで汚れを落とすのと同様の効果が期待でき、ブラジャーの汚れを確実に落とすことができる。
【００１０】
請求項２に係る洗濯ネットは、上記仕切りが、弾力がある合成繊維または合成樹脂で形成されるとともに、ブラジャーのカップ部に対応する曲面部を有することを特徴とする。
【００１１】
弾力がある合成繊維または合成樹脂としては、たとえばナイロンやポリプロピレンなどが考えられる。このような洗濯ネットであれば、仕切りの曲面部がその形状を復元しやすく、ブラジャーのカップ部を保護し、洗濯中に型くずれするのを防止できる。そのため、レースやチェーンなどの装飾部品を備えた繊細・豪華なブラジャーの洗濯用に適しているだけでなく、スポンジで形成したカップのように、弾力性はあるが布地と違って柔軟性の少ないカップを備えたブラジャーの洗濯用としても適している。また、仕切りが弾力を有するので、ブラジャーとこすれ合っても衝撃が和らげられ、生地を傷める心配がない。洗濯機にいっしょに入れたほかの洗濯物を傷めることも避けられる。
【００１２】
請求項３に係る洗濯ネットは、上記の袋がボックス状で、上面部分をファスナーで開閉可能であり、底面部分に縫い付けるかたちで、複数の上記仕切りが設けられていることを特徴とする。
【００１３】
このような洗濯ネットであれば、袋の上部がファスナーの操作により面状に開くため、複数のブラジャーの出し入れが容易に行えるという利点がある。また、袋の底面部分のみが仕切りと縫い付けられているので、製造コストを低く抑えることができる。仕切りを並べる間隔は、ブラジャーの下縁部（ワイヤーが入っている部分）の厚みより若干広く設定することにより、洗濯中にブラジャーが仕切りと密着するのを防止でき、洗剤液やすすぎの水を十分にいきわたらせることができる。なお、ここでいうボックス状とは、完全な直方体のみを定義しているわけではなく、上面部分と底面部分と側面部分をそなえたものであればよく、たとえば、上面部分と底面部分とが、角に丸みをもたせた楕円形に近い形状に構成されているものも含む。角に丸みをもたせることにより、洗濯中に他の洗濯物とからみにくく、洗濯物の損傷を防止しやすいからである。
【００１４】
請求項４に係る洗濯ネットのように、上記袋に、浮力部材が備えられていると、浮力部材の作用により、洗濯ネットが洗濯機での洗濯中に常に水面付近に位置することができるため、ほかの洗濯物と絡み合いにくい。したがって、さらに確実にブラジャーの損傷を防ぐことができる。
【考案の効果】
【００１５】
考案にかかる洗濯ネットによれば、一度に複数のブラジャーを洗濯機に入れて洗うことが可能で、しかもワイヤーやカップ部の形状・生地・装飾部品などの損傷が防止できる。
【図面の簡単な説明】
【００１６】
【図１】考案の一実施形態としての洗濯ネット１を斜め上方からみた部分破断図である。
【図２】袋状ネット２の上面２ａを開いた状態を示す平面図である。
【図３】洗濯ネット１の仕切り４の側面図である。
【図４】袋状ネット２に設けた浮力部材６を示す斜視図である。
【図５】洗濯ネット１にブラジャー１１を４枚入れた状態を示す側面図である。
【考案を実施するための形態】
【００１７】
考案にかかる洗濯ネットの一実施形態について、図１〜図５に基づき以下に説明する。
【００１８】
洗濯ネット１は、図１に示すように、袋状ネット２と仕切り４とからなる。袋状ネット２は、ボックス型で、上面２ａを扉状に開閉できるよう、３辺にわたるファスナー３を取り付けている。袋状ネット２の生地は、ブラジャー１１のホック（図示せず）が飛び出さない程度に細かい網目のものを使用している。ここでは、ほぼ直方体に形成したものを示しているが、上面２ａ（および底面２ｂ）の角に丸みをもたせ、楕円形に近い形状にしてもよい。
【００１９】
仕切り４は、ネット状に形成した合成樹脂からなる。合成樹脂の中で、とくに、弾力（いわゆる「こし」）のあるナイロンやポリプロピレンなどを使用する。仕切り４は、図２・図３に示すように、ブラジャー１１の左右のカップ部１２に対応する形状の曲面部５を有する。このような仕切り４を約１〜２ｃｍの間隔で３枚並べ、その底辺４ｂだけを、袋状ネット２の底面２ｂに縫い付けている。したがって、仕切り４の上辺４ａおよび左右の辺４ｃ・４ｄは、袋状ネット２に固定されていない。なお、仕切り４は、ネット状の合成樹脂に限らず、多孔性の（通水孔を多数設けた）合成樹脂でもよい。また、枚数は３枚に限定されるものではなく、それ以上並べてもよい。
【００２０】
図４に示すように、袋状ネット２の上面２ａを二重構造にして、その間に浮力部材（たとえば発泡樹脂からなる環状体）６を設けている。浮力部材６は、空気を密封した袋体などに換えることもできる。
【００２１】
洗濯ネット１にブラジャー１１を入れるときは、袋状ネット２のファスナー３を開けて上面２ａを開き（図２参照）、仕切り４で分けられた４つの空間に、ワイヤー（図示せず）の入った下縁部１１ａが下になるようにして一枚ずつ入れる。このとき、ブラジャー１１のカップ部１２が、曲面部５に収まるように位置を整える。また、ベルト部１３は、仕切り４の左右の辺４ｃ・４ｄと袋状ネット２との間を通し、一番後ろのブラジャー１１の裏側に回しておく。肩ひも１４は仕切り４の上辺４ａに配置する（図５参照）。
【００２２】
すべてのブラジャー１１を収納したら、上面２ａをかぶせてファスナー３を閉じる。この状態において、４枚のブラジャー１１が、仕切り４を間にはさんで重なるように並べられているので、ブラジャー１１が仕切り４によって形状を保たれるうえ、隣接するブラジャー１１が互いに補強し合う効果も期待できるので、洗濯ネット１全体がねじれにくくなり、洗濯機でほかの洗濯物といっしょに洗った場合でも、ブラジャー１１のカップ部１２やワイヤーの損傷が防止できる。
【符号の説明】
【００２３】
１  洗濯ネット
２  袋状ネット
３  ファスナー
４  仕切り
５  曲面部
６  浮力部材
１１  ブラジャー
１２  カップ部
１３  ベルト部
１４  肩ひも
【図１】
0003154982.tif 000003
【図２】
0003154982.tif 000004
【図３】
0003154982.tif 000005
【図４】
0003154982.tif 000006
【図５】
0003154982.tif 000007